(57)【要約】【課題】在院日数と診療報酬からみた診療機能分析を行なう医療機関の管理システムの提供。【解決手段】医療機関の管理システム３０は、入力手段１により分析対象の医療機関における各種設定項目と、患者データなどを入力し、選択手段３、６により分析手法Ａ、Ｂのいずれかを選択する。分析手法Ａは、演算処理手段４により調査時点での総請求額を調査時点までの入院期間で除算して各患者の診療単価を演算する。また、分析手法Ｂは、演算処理手段７により分析対象月請求額を対象月の入院期間で除算して、各患者の診療単価を演算する。データ処理手段５、８は、分析手法Ａ、Ｂで分析された在院日数―診療単価分析グラフを出力する。記憶手段９に格納されているデータベースと、前記データ処理手段５、８の出力結果により各種分析値を演算する。【選択図】    図１
2007310519.tif 000002
【特許請求の範囲】
【請求項１】
医療機関における患者の在院日数と診療単価との関係を分析する医療機関の管理システムであって、当該医療機関の調査対象月や分析対象診療科のような第１のデータ、および当該医療機関における診療報酬の請求点数（あるいは額）、退院患者データ、在院患者データを含む第２のデータの入力手段と、前記入力手段から入力された前記第１のデータ、および第２のデータから、各患者の調査時点までの前記診療報酬の総請求点数（あるいは額）を入院期間で除算して１日当りの診療単価を演算する第１の演算手段と、前記第１の演算手段の演算結果に基づいて、各患者の入院総費用による在院日数と診療単価の相関関係を演算する第２の演算手段と、前記第１の演算手段および第２の演算手段の前記演算結果を出力する出力手段とを備えることを特徴とする、医療機関の管理システム。
【請求項２】
医療機関における患者の在院日数と診療単価との関係を分析する医療機関の管理システムであって、当該医療機関の調査対象月や分析対象診療科のような第１のデータ、および当該医療機関における診療報酬の請求点数（あるいは額）、退院患者データ、在院患者データを含む第２のデータの入力手段と、前記入力手段から入力された前記第１のデータ、および第２のデータから、各患者の前記調査対象月における入院期間を演算すると共に、各患者の当該調査対象月における診療報酬の請求点数（あるいは額）を前記入院期間で除算して１日当りの診療単価を演算する第１の演算手段と、前記第１の演算手段の演算結果に基づいて、各患者の前記調査対象月の費用による在院日数と診療単価の相関関係を演算する第２の演算手段と、前記第１の演算手段および第２の演算手段の前記演算結果を出力する出力手段とを備えることを特徴とする、医療機関の管理システム。
【請求項３】
前記第２の演算手段は、各患者に対する前記在院日数と診療単価の相関関係をグラフ形式で前記出力手段に出力することを特徴とする、請求項１または請求項２に記載の医療機関の管理システム。
【請求項４】
前記診療報酬に関連する各種データを記憶する記憶手段を有し、前記第２の演算手段の演算結果と、前記記憶手段に記憶されている診療報酬に関連する各種データに基づいて、当該医療機関における診療機能評価を含む分析値を演算する第３の演算手段を有することを特徴とする、請求項１ないし請求項３のいずれかに記載の医療機関の管理システム。
【発明の詳細な説明】
【技術分野】
【０００１】
本発明は、医療機関において、在院日数と診療報酬からみた診療機能分析を行なう医療機関の管理システムに関する。
【背景技術】
【０００２】
医療機関における診療機能分析手法としては、例えば特許文献１に記載の手法が知られている。特許文献１に記載の診療機能分析手法は、レントゲングラフ法と称されているものであり、図１２にその概要が示されている。図１２を参照して、縦軸に患者の在院期間係数、横軸に診療密度係数を設定する。データはレセプト（診療報酬請求）から得るため、レントゲングラフ法は月単位の分析となる。縦軸の在院期間係数は、患者の在院期間に応じて付与した係数で、在院期間が短ければ高い係数が付与され、長ければ係数は低くなる。横軸の診療密度係数は、特掲診療料で、患者一人一人に固有の診断や治療の行為を点数化したものである。この点数が高ければ、それだけ傷病度や治療難度が高いといえる。なお、診療報酬の請求点数は、１点を１０円で計算されるので、診療報酬の請求を金額で表記することもできる。したがって、本発明においては、診療報酬の請求を説明する際に、「診療報酬の請求点数（あるいは額）」のように表記することがある。
【０００３】
【特許文献１】特開２００２−４０６８９号
【発明の開示】
【発明が解決しようとする課題】
【０００４】
レントゲングラフ法には、在院期間係数という独自の係数を用いているため、正確な在院日数を反映していない。すなわち、一定の急性期医療加算や特掲診療料が包括型になる日数に応じて係数化しているものである。また、特掲診療料（投薬、注射、検査、画像診断料）のみを対象としており、入院基本料が含まれていない。そのため、包括型支払いに対応した病床区分の分析等には利用できないという問題があった。
【０００５】
本発明は、このような問題に鑑みてなされたものであり、在院日数と診療報酬からみた診療機能分析を行なう医療機関の管理システムの提供を目的とする。
【課題を解決するための手段】
【０００６】
このような目的を達成するために、本発明の実施形態に係る医療機関の管理システムは、医療機関における患者の在院日数と診療単価との関係を分析する医療機関の管理システムであって、当該医療機関の調査対象月や分析対象診療科のような第１のデータ、および当該医療機関における診療報酬の請求点数（あるいは額）、退院患者データ、在院患者データを含む第２のデータの入力手段と、前記入力手段から入力された前記第１のデータ、および第２のデータから、各患者の調査時点までの前記診療報酬の総請求点数（あるいは額）を入院期間で除算して１日当りの診療単価を演算する第１の演算手段と、前記第１の演算手段の演算結果に基づいて、各患者の入院総費用による在院日数と診療単価の相関関係を演算する第２の演算手段と、前記第１の演算手段および第２の演算手段の前記演算結果を出力する出力手段とを備えることを特徴とする。
【０００７】
また、本発明の医療機関の管理システムは、医療機関における患者の在院日数と診療単価との関係を分析する医療機関の管理システムであって、当該医療機関の調査対象月や分析対象診療科のような第１のデータ、および当該医療機関における診療報酬の請求点数（あるいは額）、退院患者データ、在院患者データを含む第２のデータの入力手段と、前記入力手段から入力された前記第１のデータ、および第２のデータから、各患者の前記調査対象月における入院期間を演算すると共に、各患者の当該調査対象月における診療報酬の請求点数（あるいは額）を前記入院期間で除算して１日当りの診療単価を演算する第１の演算手段と、前記第１の演算手段の演算結果に基づいて、各患者の前記調査対象月の費用による在院日数と診療単価の相関関係を演算する第２の演算手段と、前記第１の演算手段および第２の演算手段の前記演算結果を出力する出力手段とを備えることを特徴とする。
【０００８】
また、本発明の医療機関の管理システムは、前記第２の演算手段は、各患者に対する前記在院日数と診療単価の相関関係をグラフ形式で前記出力手段に出力することを特徴とする。
【０００９】
また、本発明の医療機関の管理システムは、前記診療報酬に関連する各種データを記憶する記憶手段を有し、前記第２の演算手段の演算結果と、前記記憶手段に記憶されている診療報酬に関連する各種データに基づいて、当該医療機関における診療機能評価を含む分析値を演算する第３の演算手段を有することを特徴とする。
【発明の効果】
【００１０】
本発明の医療機関の管理システムは、次のような格別な効果が得られる。
（１）科目別診療状況の評価
在院期間中の診療報酬（総収入）を在院日数で除した１日あたり診療報酬（診療単価）と、在院日数との関係を診療科別に見ることによって、診療科別の診療特性を読み取ることができる。例えば、図８において整形外科は入院期間が長く診療単価が下がる傾向が顕著であり、長期入院患者への対応の必要性（療養型病床設置など）が考えられる。
【００１１】
（２）科目別経営状況の評価
当該医療機関において、今後の医療経営上重要な在院日数短縮をはかる対象診療科目や方法を検討することが可能となる。
【００１２】
（３）今後の医療経営の方針整備計画に対する指針
一定水準の診療報酬（収入）を個々の患者から得られているのかどうかを判断することが可能になるため、医療機関の機能として本来、急性期型医療機関と療養型医療機関のどちらを指向するべきかの判断材料の一つとなる。
【００１３】
（４）病床区分（一般・療養）の検討
分析手法Ｂにおいては、月単位の分析を行うことにより、その月の病床利用状況において、診療単価が水準以下（包括診療単価以下）になっている長期入院患者の数を継続的に把握することによって、整備すべき療養型病床数の検討材料となる。例えば、在院日数３０日を超え、診療単価が点数で１６００点（金額では、１点が１０円に換算されるので、療養病床による１日当たりの包括支払い額が１６０００円程度とする）以下を示す患者については、療養病床への移行が診療報酬上有利であると考えることもできる。その場合、病床稼働率を考慮して適数の病床、例えば約１６床分は療養病床とすることが可能と仮定できる。
【発明を実施するための最良の形態】
【００１４】
以下、本発明の実施の形態について説明する。本発明においては、入院患者の在院期間中の診療報酬を在院日数で除算した１日当り診療報酬（診療点数あるいは診療請求額）と、在院日数との関係を患者個人単位で算出したデータを用いることを基本的な技術思想としている。在院期間の算定方法には、調査対象月に在院した患者の全入院期間を対象とした方法（以下分析手法Ａという）と、調査対象月に在院した患者の調査対象月までの入院期間を対象とした方法（以下分析手法Ｂという）がある。
【００１５】
図２は、前記分析手法Ａ、および分析手法Ｂにおける分析の対象を示した説明図である。図２において、対象となる医療機関について、分析調査対象月（Ｍ月、１日から３０日まで）と、分析調査を実施する調査時点（Ｎ月Ｐ日）を設定する。次に、当該医療機関における患者ａ〜ｆの入院日と退院日のデータを取得する。各患者が調査対象月に入院していた期間（黒塗りの期間）が、分析手法Ｂにおける分析対象月の診療報酬であり、入院から調査時点（Ｎ月Ｐ日）までの期間（黒塗りの期間と灰色の期間の和）が、調査時点での総診療報酬である。ただし、患者ｂ、ｅは調査時点において、まだ入院中である。
【００１６】
また、入院から分析対象月の末日（３０日）までの入院期間を入院期間Ｂ、入院から調査時点（Ｎ月Ｐ日）までの入院期間を入院期間Ａとする。入院期間Ａは、前記分析手法Ａに対応し、入院期間Ｂは分析手法Ｂに対応する。分析手法Ａの方法は比較的容易にデータを入手することができ、簡便な方法といえる。分析手法Ｂでは調査対象月の期間の、当該医療機関の１日当たり診療報酬（診療単価）の実情を詳細に把握できる利点がある。
【００１７】
診療単価については、分析手法Ａでは入院から調査時点（Ｎ月Ｐ日）までの診療報酬点数（あるいは額）を、入院から調査時点（Ｎ月Ｐ日）までの日数（黒塗りの期間と灰色の期間の和）で除算し、１日当たりの診療単価とする。分析手法Ｂでは、月単位の請求データ（レセプトデータ）を使用するため、１日当たりの診療単価を求めるための在院日数は、分析対象月に在院していた日数（黒塗りの期間）になる。図２における患者ａ、ｂは、分析対象月の最初から最後まで入院していたので、対象月の日数（図２の例では３０）で除算すればよい。患者ｃ、ｄ、ｅについては、分析対象月に何日入院していたかを把握する必要がある。
【００１８】
図１は、本発明の実施形態にかかる医療機関の管理システム３０の全体構成図である。医療機関の管理システム３０は、図１１で説明するように、例えばコンピュータなどのハードウェア資源により構成されている。図１において、１は設定項目の入力手段で、調査月（月の日数）の設定、分析対象（診療科／国際傷病分類ＩＣＤ）の設定、ベンチマーク（包括、ＤＰＣ、平均値）の選択を行う。これらの設定は、キーボードやマウスなどの入力手段１により行う。
【００１９】
前記入力手段１により入力データ２を入力する。この入力データ２には、対象とする病院などの医療機関における調査対象月の在院患者データ（入院日・退院日・調査対象月の診療報酬請求点数あるいは額・調査時点の総診療報酬請求点数あるいは額）、その他データ（各患者の診療科・疾患など）が含まれる。このように、入力データ２には、当該医療機関における診療報酬の請求点数（あるいは額）、調査対象月の在院患者データを含むものである。この診療報酬の請求点数（あるいは額）には、調査対象月の診療報酬請求点数（あるいは額）、調査時点の総診療報酬請求点数（あるいは額）が含まれる。選択手段３、６は、前記分析手法Ａ、または分析手法Ｂのいずれかを選択する。この選択処理は、例えばモニタに表示されたアイコンや文字をキーボードやマウスなどの入力手段１でクリックすることにより行われる。
【００２０】
管理システム３０は、ＣＰＵのような演算処理装置を備えており、前記分析手法Ａ、または分析手法Ｂが選択されたときに、それぞれの分析手法による処理を実行する。分析手法Ａが選択された場合には、演算処理手段４によりデータ処理Ａを実行する。このデータ処理Ａには、各患者の入院期間Ａの算出、各患者の診療報酬総請求点数（あるいは額）を入院期間Ａで除算した診療単価の演算が含まれる。前記演算処理手段４の処理に基づいて、データ処理手段５により、データを出力する。データ出力には、前記診療報酬総請求点数（あるいは額）に対応する調査時点の入院総費用（Ａ）による在院日数―診療単価分析グラフが含まれる。在院日数―診療単価分析グラフは、モニタに表示することや、プリンタで用紙に印字することができる。この在院日数―診療単価分析グラフについては、後述する。
【００２１】
分析手法Ｂが選択された場合には、演算処理手段７によりデータ処理Ｂを実行する。このデータ処理Ｂには、各患者の入院期間Ｂ（入院日から調査対象月の月末まで）の算出、調査対象月の入院期間の算出、各患者の調査対象月における診療報酬請求点数（あるいは額）を調査対象月の入院期間で除算した診療単価の演算が含まれる。前記演算処理手段７の処理に基づいて、データ処理手段８により、データを出力する。データ出力には、前記調査対象月における診療報酬請求点数（あるいは額）に対応する１カ月費用Ｂによる在院日数―診療単価分析グラフが含まれる。
【００２２】
記憶手段（メモリ）９には、データベース（ベンチマーク）が格納されている。このデータベースには、診療報酬（特掲、包括、ＤＰＣ）、診療報酬の平均値（公私病院経営実態調査による）が含まれる。前記データ処理手段５、８の出力データと、当該データベースに格納されている前記診療報酬、診療報酬の平均値により、分析値算出手段１０は、ベンチマーク比較、時系列分析、病床配分診断、診療機能評価を行う。これらの算出結果は、適宜モニタ表示、プリンタで用紙に印字などにより確認できる。このように、当該医療機関における分析値には、診療機能評価が含まれる。
【００２３】
次に、本発明の実施形態について、図３〜図８の説明図により説明する。図３、図４は、図２に対応した、ある医療機関における分析手法Ａ、または分析手法Ｂを実行するための基礎データ（一次データ）の例を示す説明図である。図３、図４は、前記調査対象月を９月（１日〜３０日）とした例であり、患者ａ〜ｆのデータが示されている。（イ）〜（ヘ）は、便宜上各患者ａ〜ｆに付した符号で、図３と図４を関連付けている。
【００２４】
この患者データには、各患者ａ〜ｆにつき、次の項目が示されている。すなわち、患者ＩＤ、診療科、主疾患（ＩＣＤ１０）、入院日、退院日、調査対象月（９月）診療報酬請求点数Ｂ（点）、総診療報酬請求点数（１０月末時点）Ａ（点）、入院期間Ａ、入院期間Ｂ、調査対象月（９月）の入院期間、である。ここに、図２の調査時点（Ｎ月Ｐ日）は、１０月末日（３１日）である。また、図２で説明したように、患者ｂ、ｅは調査時点ではまだ入院中であり、退院日のデータは取得されていない。
【００２５】
図５は、図３、図４の一次データに基づき加工された二次データ（分析手法Ａ）の例を示す説明図である。分析手法Ａでは、前記のように調査時点での総診療報酬請求点数Ａを入院期間Ａで除算して、各患者の診療単価（点）を算出する。図５の（１）欄には、各患者ａ〜ｆの患者ＩＤ、主疾患（ＩＣＤ１０）、入院期間Ａ、診療単価（点）が示されている。また、図５の（２）欄には、総診療報酬請求点数Ａが示されている。
【００２６】
図６は、図３、図４の一次データに基づき加工された二次データ（分析手法Ｂ）の例を示す説明図である。分析手法Ｂでは、前記のように分析対象月診療報酬請求点数Ｂを対象月の入院期間で除算して、各患者の診療単価（円または点）を算出する。図６の（１）欄には、各患者ａ〜ｆの患者ＩＤ、主疾患（ＩＣＤ１０）、入院期間Ｂ、診療単価（円または点）が示されている。また、図６の（２）欄には、分析対象月診療報酬請求点数Ｂが示されている。
【００２７】
図７は、図５の二次データ（分析手法Ａ）の出力データをグラフで表した例を示す説明図である。図７の横軸には入院期間Ａを設定する。また、縦軸には診療単価（円または点）を設定する。なお、各患者ａ〜ｆの診療科を対応させている。図７のグラフでは、在院日数と診療単価（円または点）との相関パラメータが示される。このグラフでは、診療密度が高く在院日数の短い急性期型の患者は左上に位置し、診療密度が低く在院日数の長い慢性期療養型の患者は右下に位置する。したがって、一定日以上の在院日数で、一定値以下の診療単価（円または点）の患者が多い場合には、当該医療機関においては、例えば、急性期型医療機関から療養型医療機関へ転換することを検討する指標が得られる。
【００２８】
図７において、Ｈは診療単価（点または円）の判定水準を示す基準線で、この例では１６００に設定している。また、前記判定基準となる在院日数は、例えば３０日に設定する。図７を参照すると、整形外科の患者（ｂ）は、在院日数が長く診療単価（点または円）が水準Ｈよりも低いことがわかる。また、内科の患者（ｆ）は、在院日数が短く診療単価（点または円）が水準Ｈよりも高いことが視覚により判断できる。
【００２９】
図８は、図６の二次データ（分析手法Ｂ）の出力データをグラフで表した例を示す説明図である。図８の横軸には入院期間Ｂを設定し、縦軸には診療単価（点または円）を設定する。図８においても、各患者ａ〜ｆの診療科を対応させている。図８のグラフでは、分析対象月９月における診療単価（点または円）は、呼吸器科の患者（ｅ）と、循環器科の患者（ｄ）が高くなっていることがわかる。このように、分析手法Ａのグラフと分析手法Ｂのグラフを対比することにより、当該医療機関の在院日数―診療単価（点または円）の特性を異なる観点で把握することが可能となる。
【００３０】
図９、図１０は、本発明の他の実施形態を示す説明図である。図９は、分析手法Ａのグラフであり、図１０は分析手法Ｂのグラフである。図９、図１０のようにデータ数、すなわち、分析対象医療機関の患者数が増大すると、診療科目毎の在院日数―診療単価（点または円）の特性が明確に示される。図９の例では、Ｘは胸部（呼吸器科）、Ｙは循環器科、Ｚは胃腸科（消化器科）、Ｗは整形外科の特性を表している。また、図１０の例では、ｒは胸部（呼吸器科）、ｔは循環器科、ｓは胃腸科（消化器科）、ｕは整形外科の特性を表している。
【００３１】
図１１は、本発明の実施形態を示す制御部２０のブロック図である。図１１において、コンピュータで構成される制御部２０は、ＣＰＵ２１、ＲＯＭ２２、ＲＡＭ２３、インターフェイス回路２４、入力装置２５、モニタやプリンタのような出力装置２６を有している。ＣＰＵ２１は、各種演算や帳票作成を行う演算処理手段として機能する。ＲＯＭ２２には、システムの処理プログラムが格納されている。
【００３２】
ＲＡＭ２３には、各種のデータやテーブルなどが格納されている。入力装置２５、出力装置２６は、インターフェイス回路２４を介して前記ＣＰＵ２１、ＲＯＭ２２、ＲＡＭ２３に接続されている。入力装置２５は、キーボードやマウスなどが用いられる。出力装置２６は、分析結果の特性図や帳票などをモニタ（表示手段）に表示し、必要な場合にはプリンタ（出力手段）で記録紙にプリントする。
【００３３】
次に、本発明の実施形態に係る医療機関の管理システムの処理について、図１１と図１との対応関係を具体的に説明する。図１１の入力装置２５は、図１の設定項目の入力手段１に対応する。図１１のＣＰＵ２１は、図１の演算処理手段４、７、データ処理手段５、８に対応する。図１１のＲＡＭ２３は、図１の記憶手段（メモリ）９に対応する。図１１の出力装置２６は、図１のデータ処理手段５、８で出力された結果をモニタ表示、用紙に印字する手段に対応する。なお、図１のＣＰＵ２１は、図１の分析値算出手段１０に対応する。
【００３４】
ここで、ＣＰＵ２１の作用について、請求項に記載の要件と対比させて更に説明する。分析手法Ａにおいては、請求項１に記載の「入力手段から入力された前記第１のデータ、および第２のデータから、各患者の退院までの前記診療報酬の総請求点数（あるいは額）を入院期間で除算して１日当りの診療単価を演算する第１の演算手段と、前記第１の演算手段の演算結果に基づいて、各患者の入院総費用による在院日数と診療単価の相関関係を演算する第２の演算手段」に対応する。
【００３５】
また、分析手法Ｂにおいては、請求項２に記載の「第１のデータ、および第２のデータから、各患者の前記調査対象月における入院期間を演算すると共に、各患者の当該調査対象月における診療報酬の請求点数（あるいは額）を前記入院期間で除算して１日当りの診療単価を演算する第１の演算手段と、前記第１の演算手段の演算結果に基づいて、各患者の前記調査対象月の費用による在院日数と診療単価の相関関係を演算する第２の演算手段」に対応する。
【００３６】
さらに、分析手法Ａ、Ｂに共通して、請求項３に記載の「第２の演算手段の演算結果と、前記記憶手段に記憶されている診療報酬に関連する各種データに基づいて、当該医療機関における診療機能評価を含む分析値を演算する第３の演算手段」に対応する。
【産業上の利用可能性】
【００３７】
以上説明したように、本発明の医療機関の管理システムによれば、分析対象の医療機関における患者の在院日数と、診療報酬からみた診療機能分析を行なうことができる。
【図面の簡単な説明】
【００３８】
【図１】本発明の実施形態に係るシステム構成図である。
【図２】本発明の実施形態に係る処理フローの説明図である。
【図３】本発明の実施形態に係る説明図である。
【図４】本発明の実施形態に係る説明図である。
【図５】本発明の実施形態に係る説明図である。
【図６】本発明の実施形態に係る説明図である。
【図７】本発明の実施形態に係る説明図である。
【図８】本発明の実施形態に係る説明図である。
【図９】本発明の実施形態に係る説明図である。
【図１０】本発明の実施形態に係る説明図である。
【図１１】本発明の実施形態に係るブロック図である。
【図１２】本発明の実施形態に係る説明図である。
【符号の説明】
【００３９】
１・・・入力手段、３、６・・・選択手段、４、７・・・演算処理手段、５、８・・・データ処理手段、９・・・記憶手段、１０・・・分析値算出手段、２０・・・制御部、２１・・・ＣＰＵ、２２・・・ＲＯＭ、２３・・・ＲＡＭ、２４・・・インターフェイス回路、２５・・・入力装置、２６・・・出力装置、３０・・・医療機関の管理システム
【図１】
2007310519.tif 000003
【図２】
2007310519.tif 000004
【図３】
2007310519.tif 000005
【図４】
2007310519.tif 000006
【図５】
2007310519.tif 000007
【図６】
2007310519.tif 000008
【図７】
2007310519.tif 000009
【図８】
2007310519.tif 000010
【図９】
2007310519.tif 000011
【図１０】
2007310519.tif 000012
【図１１】
2007310519.tif 000013
【図１２】
2007310519.tif 000014